(57)【要約】【課題】耐衝撃性および断熱性に優れており、庇の下でも光が差し込む軽い建物用庇を提供する。【解決手段】壁面７に取り付けられる壁側取付け用部材２と、この壁側取付け用部材２に連結されるパネル側取付け用部材３と、このパネル側取付け用部材３に取り付けられるパネル部材５と、このパネル部材５の前端部に取り付けられる先端見切り部材４とを備える建物用庇１において、パネル部材５は合成樹脂材料からなり、弾性変形可能な弾性部材である圧縮コイルばね２６を介してパネル側取付け用部材３に取り付けられる。【選択図】図３
2012102600.tif 000002
【特許請求の範囲】
【請求項１】
壁面にパネルを取り付けるためのパネル取付け用部材と、このパネル取付け用部材に取り付けられるパネル部材と、このパネル部材の前端部に取り付けられる先端見切り部材とを備える建物用庇において、
パネル部材は合成樹脂材料からなり、弾性変形可能な弾性部材を介してパネル取付け用部材に取り付けられることを特徴とする建物用庇。
【請求項２】
弾性部材はコイルばねであることを特徴とする請求項１に記載の建物用庇。
【請求項３】
パネル取付け用部材は、壁面に取り付けられる壁側取付け用部材と、この壁側取付け用部材に連結されるパネル側取付け用部材とからなることを特徴とする請求項１または２に記載の建物用庇。
【発明の詳細な説明】
【技術分野】
【０００１】
本発明は、直射日光や雨水などを遮るために建物の軒先などに取り付けられる建物用庇の技術に関する。
【背景技術】
【０００２】
庇の下方にも光が差し込むようにするために、庇板を板ガラス製とした庇が特許文献１に記載されている。庇は、板ガラス製の庇板の基端部が、建物の外壁面に取り付けた支持具で支持されている。庇板が外部から衝撃を受けた場合でも庇板に欠けや割れなどが生じないようにするために、庇板の両側縁には縁枠が装着されている。各縁枠には長さ方向に沿う摺動溝が形成されており、摺動溝には位置決め部材が摺動自在に保持されている。上端が建物の外壁面に支持されたアームの下端部が夫々位置決め部材に連結されて庇板が支持される。
【先行技術文献】
【特許文献】
【０００３】
【特許文献１】特開２００６−３２８７５５号公報
【発明の概要】
【発明が解決しようとする課題】
【０００４】
特許文献１に記載の庇では、庇板に縁枠を取り付けて縁枠側からの衝撃を緩和することができても、ガラス製の庇板の表面あるいは裏面に直接作用する衝撃を緩和することはできない。また、庇板をガラス製とするので庇全体の重量が大きくなり取り扱いが不便である。さらに、ガラス製の庇板は熱を通し易く断熱性が低いという問題がある。
【０００５】
本発明の目的は、このような課題を解決するもので、耐衝撃性および断熱性に優れており、庇の下でも光が差し込む軽い建物用庇を提供することである。
【課題を解決するための手段】
【０００６】
この課題を解決するために請求項１の発明は、壁面にパネルを取り付けるためのパネル取り付け用部材と、このパネル取り付け用部材に取り付けられるパネル部材と、このパネル部材の前端部に取り付けられる先端見切り部材とを備える建物用庇において、パネル部材は合成樹脂材料からなり、弾性変形可能な弾性部材を介してパネル取り付け用部材に取り付けられる。請求項２の発明は、請求項１の発明において弾性部材をコイルばねとする。請求項３の発明は、請求項１または請求項２の発明においてパネル取り付け用部材は、壁面に取り付けられる壁側取り付け用部材と、この壁側取り付け用部材に連結されるパネル側取り付け用部材とからなる。
【発明の効果】
【０００７】
請求項１記載の発明によれば、パネル部材は、合成樹脂材料からなるので、耐衝撃性および断熱性に優れ、庇の下でも光が差し込む軽い建物用庇とすることができ、弾性変形可能な弾性部材を介してパネル取り付け用部材に取り付けられるので、パネル部材が熱膨張した場合には弾性部材が弾性変形してパネル部材の破損が防止される。
【図面の簡単な説明】
【０００８】
【図１】建物用庇１の斜視図である。
【図２】建物用庇１の側面図である。
【図３】建物用庇１の長さ方向の拡大断面図である。
【図４】建物用庇１の長さ方向の拡大断面図である。
【図５】建物用庇１の長さ方向の拡大断面図である。
【図６】建物用庇１の横断面図である。
【図７】建物用庇１の組み立て手順を示す斜視図である。
【図８】建物用庇１の組み立て手順を示す斜視図である。
【図９】建物用庇１の組み立て手順を示す斜視図である。
【図１０】建物用庇１の組み立て手順を示す斜視図である。
【図１１】建物用庇１の組み立て手順を示す斜視図である。
【図１２】建物用庇１の組み立て手順を示す斜視図である。
【図１３】建物用庇１の組み立て手順を示す斜視図である。
【図１４】建物用庇１の組み立て手順を示す斜視図である。
【発明を実施するための形態】
【０００９】
以下、本発明の一実施形態について図１〜図６に基づいて説明する。図１は建物用庇の斜視図である。図２は建物用庇の側面図である。図３，図４および図５は建物用庇の長さ方向の拡大断面図である。図６は建物用庇１の横断面図である。
【００１０】
建物用庇１は、建物の壁面７に取り付けられる壁側取り付け用部材２と、この壁側取り付け用部材２の下端に係合するパネル側取り付け用部材３と、このパネル側取り付け用部材３と一定の間隔を開けて連結される先端見切り部材４と、パネル側取り付け用部材３と先端見切り部材４との間に設置される複数のパネル部材５とを備えている。壁側取り付け用部材２とパネル側取り付け用部材３とは、パネル取り付け用部材である。パネル部材５同士はジョイント部材６によって連結され庇板８が形成される。庇板８の長さ方向両側部にもジョイント部材６が装着され、該ジョイント部材６の側部に端部カバー部材９がビス止めされる。
【００１１】
壁側取り付け用部材２は、アルミの押出材から形成され、壁面７に沿う鉛直部分２ａと、この鉛直部分の上端より壁面７の前方に突出するように形成された円弧状の突出部分２ｂと、前記鉛直部分２ａの下端に形成されたパネル側取り付け用部材３との係合部２ｃとを備え、壁面７に埋設したアンカーボルト１１に鉛直部分２ａが固定される。なお、鉛直部分２ａの上端には凹状の段部１２が形成されており、この段部１２と壁面７との間は別途シールされる。
【００１２】
パネル側取り付け用部材３はアルミの押出材で形成され、下端の扁平な板部３ａと、この板部３ａの後端部に形成され壁側取り付け用部材２の係合部２ｃに係合する係合部３ｂと、壁側取り付け用部材２の円弧状の突出部分２ｂの円弧に沿うように板部３ａの上方で円弧状に形成された板部３ｃと、板部３ａから上方に立ち上がる板部３ｄと、板部３ｄの上端から前方に伸延し板部３ｃの前端部に連結する板部３ｅとを備えている。このパネル側取り付け用部材３は係合部３ｂが壁側取り付け用部材２の係合部２ｃに前方から係合される。板部３ｄには後述する寸切ボルト１４の挿通孔が設けられており、寸切ボルト１４は挿通孔を挿通した状態で板部３ｄにナット１５で固定される。板部３ａの上面にはパネル部材５の下面を支持する受け部材１６が設けられる。
【００１３】
パネル部材５の前端部に先端見切り部材４を取り付けるために、パネル部材５の前端部に先端ブラケット部材１７が取り付けられる。この先端ブラケット部材１７はアルミの押出材から形成され、パネル部材５の開口部を塞ぐフラットバー１８が当接する板部１７ａと、この板部１７ａの上下両端に繋がり互いに平行でパネル部材５の端部を挟み込む板部１７ｂ，１７ｂと、板部１７ａと板部１７ｂとの繋がり部近傍に形成され先端見切り部材４の爪片４ａ，４ｂが係止される溝部１７ｃ，１７ｄとから構成される。
【００１４】
先端見切り部材４はアルミの押出材から形成され、上下の板部を先端部の円弧状部分で繋いだ形状を有し、後端部には先端ブラケット部材１７の溝部１７ｃ，１７ｄに係止する爪片４ａ，４ｂを備えている。なお、先端見切り部材４の先端部の円弧状部分内側には、後述する端部カバー部材９がビス止めされるタッピング孔４ｃが設けられる。
【００１５】
パネル部材５として、たとえばタキロン株式会社製ルメルーフ（登録商標）が用いられる。タキロン株式会社製ルメルーフは、耐衝撃強度に優れた合成樹脂材料であるポリカーボネート樹脂製であり、上下の互いに平行な板部５ｄと、この板部間の空間を左右方向に適当間隔おきに仕切り前後方向に連続する仕切り部５ｅとを有しているので軽量で高い剛性と断熱性能を備えている。パネル部材５の長さ方向両側部には、長さ方向に沿って立ち上がり部５ａが形成されている。立ち上がり部５ａはパネル部材５本体よりも前後方向に短く形成されており、立ち上がり部５ａの端面５ｇとパネル部材５本体の端面５ｆとは前後方向において面一とされず段付き状に形成される。立ち上がり部５ａの横断面には、上方に向かって幅狭となるように斜面５ｂが設けられ、斜面５ｂの上端には凹部５ｃが形成される。なお、パネル部材５はポリカーボネート樹脂製に限定されるものではなく、たとえばアクリルや塩化ビニルなどの樹脂を用いることができる。
【００１６】
隣接するパネル部材５同士は、立ち上がり部５ａをジョイント部材６で挟み込むようにして連結され庇板８が形成される。２枚のパネル部材５で形成された庇板８の長さ方向両側部にもジョイント部材６が装着され、ジョイント部材６の側部に端部カバー部材９がビス止めされる。なお、本実施例では２枚のパネル部材５が連結されるが、これに限定するものではなく、たとえば３枚以上のパネル部材５が連結されるものでもよい。
【００１７】
ジョイント部材６はアルミの押出材から形成され、横断面形状が左右対称とされる。ジョイント部材６はパネル部材５に嵌め込まれたとき、端面６ｆがパネル部材５の立ち上がり部５ａの端面５ｇから前後方向に突出した状態で設置される。ジョイント部材６の下部内側には、パネル部材５の立ち上がり部５ａの斜面５ｂに当接する板部６ａと、板部６ａの先端部に設けられ凹部５ｃに係止する突起部６ｂとが形成されている。また、ジョイント部材６の中央部には、下方に伸延し隣接するパネル部材５の端面に当接する板部６ｃが形成されている。
【００１８】
なお、ジョイント部材６の上部には、ステー２０をジョイント部材６に連結するステー取り付け金具２１がビス止めされる。ステー取り付け金具２１の取り付け座２１ａの下面２１ｂが小口蓋をビス止めするタッピング孔６ｄ周縁部に当接し、上面両端部が上部板部６ｅに当接した状態でビス止めされる。
【００１９】
ジョイント部材６の前端面６ｆには、小口蓋２７ａがジョイント部材６の端面６ｆと先端ブラケット部材１７の上面１７ｅとの双方にビス止めされた状態で設置される。ジョイント部材６の後端面６ｆには小口蓋２７ｂがジョイント部材６の端面６ｆにビス止めされ端部材２５の上部端面２５ｂに当接した状態で設置される。小口蓋２７ｂは端部材２５の上部端面２５ｂにビス止めされない。
【００２０】
ここで建物用庇１の取り付け手順について説明する。図７〜図１４は、建物用庇１の組み立て手順を示す斜視図である。まず、図７，図８に示すように、壁面７に壁側取り付け用部材２を固定するアンカーボルト１１を打ち込む。側板２２がビス止めされた壁側取り付け用部材２が、アンカーボルト１１に嵌め込まれナット２３で固定される。
【００２１】
一方、図９に示すように、立ち上がり部５ａが隣接するように２枚のパネル部材５が配置され、立ち上がり部５ａを挟み込むようにジョイント部材６が嵌め込まれる。このときパネル部材５，５の端面はジョイント部材６の板部６ｃを介して当接している。パネル部材５の立ち上がり部５ａの斜面５ｂに板部６ａが当接し、立ち上がり部５ａの凹部５ｃに突起部６ｂが係止した状態でパネル部材５が連結される。なお、板部６ａは弾性変形可能に形成されており、ジョイント部材６は、板部６ａを弾性変形させながら立ち上がり部５ａの上方から直接嵌め込まれる。
【００２２】
連結されたパネル部材５の両側部の立ち上がり部５ａにも上方からジョイント部材６が嵌め込まれる。ジョイント部材６は、板部６ｃがパネル部材５の端面に当接し、板部６ａが立ち上がり部５ａの斜面５ｂに当接し、さらに突起部６ｂが凹部５ｃに係止した状態で嵌め込まれる。この場合にもジョイント部材６は、板部６ａを弾性変形させながら立ち上がり部５ａの上方から直接嵌め込まれる。ジョイント部材６の両端面６ｆ，６ｆは、立ち上がり部５ａに嵌め込まれた状態で立ち上がり部５ａの端面５ｇから前後方向に突出している。
【００２３】
このように、パネル部材５は、ジョイント部材６に係止した状態で嵌め込まれているだけであるので、パネル部材５（立ち上がり部５ａ）はジョイント部材６の長さ方向に対して、熱膨張や熱収縮に伴い、自由に移動することができる。また、ジョイント部材６は、立ち上がり部５ａの端面５ｇ側からスライドさせて装着せず、板部６ａを弾性変形させながら立ち上がり部５ａの上方から直接嵌め込まれるので、容易に装着することができ作業時間の短縮を図ることができる。
【００２４】
次に、図１０に示すように、中空構造であるパネル部材５の内部に、前後方向に寸切りボルト１４が挿通される。寸切りボルト１４は、パネル部材５の両側部に形成された立ち上がり部５ａの下部に４箇所挿通される。寸切りボルト１４が挿通されたパネル部材５の前方には、フラットバー１８がパネル部材５の前端面５ｆに当接した状態で装着される。フラットバー１８が装着されたパネル部材５の前端部には先端ブラケット部材１７が覆うように装着されナット２４で固定される。先端ブラケット部材１７の前方には、さらに先端見切り部材４が、先端ブラケット部材１７の溝部１７ｃ，１７ｄに爪片４ａ，４ｂを係止させた状態で装着される。先端見切り部材４はワンタッチで装着可能である。
【００２５】
パネル部材５を挿通した寸切りボルト１４の後部には、端部材２５と弾性変形可能な弾性部材である圧縮コイルばね２６とがこの順番に装着され、さらにパネル側取り付け用部材３の板部３ｄに形成された不図示の挿通孔に挿通された後、ナット１５で固定される。端部材２５はアルミ板をコの字状に曲げて形成されており、パネル部材５の後端面５ｆを覆うように装着される。パネル側取り付け用部材３の板部３ａ上面には端部材２５を支持する受け部材１６が設置されている。受け部材１６が端部材２５の下部端面２５ａに当接した状態で、端部材２５の上部端面２５ｂが板部３ｅの下面に当接している。これによってパネル部材５の上下方向の位置決めがされる。
【００２６】
端部材２５と板部３ｄとの間に装着される圧縮コイルばね２６は、パネル部材５の伸縮量に応じた適当なものが選定され、圧縮コイルばね２６の取り付け長さはナット１５で調整される。図３は雰囲気温度が高い場合のパネル部材５の取り付け状態を示し、図４は雰囲気温度が低い場合のパネル部材５の取り付け状態を示す。なおパネル部材５の後端部に装着された端部材２５はパネル部材５の熱膨張や熱収縮に伴って前後方向に移動する。
【００２７】
次に、図１１に示すようにパネル部材５の側部には端部カバー部材９がビス止めされる。端部カバー部材９はアルミ板を略Ｌ字状に曲げて形成される。一枚ものの端部カバー部材９は、パネル部材５の側部のみならず、先端見切り部材４の側部、パネル側取り付け用部材３の側部を含んで建物用庇１の両側部を覆う。端部カバー部材９を一枚ものとすることで部品点数の削減が図られる。
【００２８】
ジョイント部材６の前端部には、小口蓋２７ａがジョイント部材６の端面６ｆと先端ブラケット部材１７の上面１７ｅとの双方にビス止めされた状態で設置される。ジョイント部材６の後端部には小口蓋２７ｂがジョイント部材６の端面６ｆにビス止めされた状態で設置される。このとき小口蓋２７ａ，２７ｂは立ち上がり部５ａの端面５ｇとの間に隙間が設けられた状態で設置される。
【００２９】
図１２に示すように、ジョイント部材６には、ステー２０をジョイント部材６に連結するステー取り付け金具２１がビス止めされる。ステー取り付け金具２１の取り付け座２１ａは、上方から直接ジョイント部材６に嵌め込まれ、下面２１ｂがタッピング孔６ｄ周縁部に当接し、上面２１ｃ両端部が上部板部６ｅに当接した状態でビス止めされる。ステー取り付け金具２１は、ジョイント部材６の端部から挿入して所定の位置までスライドさせることなく、ジョイント部材６の上方から容易に直接ジョイント部材６の所定の位置に嵌め込むことができる。
【００３０】
図１３に示すように、パネル側取り付け用部材３の係合部３ｂを壁側取り付け用部材２の係合部２ｃに係合させ、壁側取り付け用部材２の上面にカバー部材２８が取り付けられる。そして図１４に示すように、ステー取り付け金具２１にステー２０の一端部が取り付けられステー２０の他端部が壁面７側に固定される。さらにカバー部材２８と壁面７との隙間がシールされる。このとき、ジョイント部材６に取り付けるステー取り付け金具２１の位置を調整してパネル部材５の取り付け角度を調整することができる。
【００３１】
このようにして取り付けられた建物用庇１において、図３に示すように雰囲気温度が高くパネル部材５が膨張すると、端部材２５は、下部端面２５ａが受け部材１６に当接し、上部端面２５ｂが小口蓋２７ｂと板部３ｅの下面に当接した状態で後方に移動するが、立ち上がり部５ａの端面５ｇが小口蓋２７ｂに当接することはなく、端面５ｇと小口蓋２７ｂとの間には隙間が確保されている。また、圧縮コイルばね２６は底着きしておらず縮み代が残されており、圧縮コイルばね２６が底着きしてパネル部材５の熱膨張が制限されることはない。パネル部材５は制限されることなく熱膨張可能であり、パネル部材５の内部に発生する熱応力によってパネル部材５が破損することを防止することができる。
【００３２】
図４に示すように雰囲気温度が低くパネル部材５が収縮すると、パネル部材５の収縮に伴って端部材２５は前方に移動するが、上部端面２５ｂと板部３ｅ下面とは当接した状態が保たれ、端部材２５がパネル側取り付け用部材３から抜け出ることはない。またパネル部材５の収縮に伴って、立ち上がり部５ａの前端面５ｇが小口蓋２７ａに当接することはなく端面５ｇと小口蓋２７ａとの間には隙間が確保されている。また端部材２５が圧縮コイルばね２６から離れて圧縮コイルばね２６が自由長となることはなく圧縮状態が維持されている。これによってパネル部材５の安定した取り付け状態が維持される。
【００３３】
このように、中空構造であるパネル部材５の内部に寸切りボルト１４を挿通させ、挿通した寸切りボルト１４に弾性変形可能な弾性部材である圧縮コイルばね２６を装着すると、ポリカーボネート樹脂製のパネル部材５は圧縮コイルばね２６に付勢された状態で自由に熱膨張や熱収縮することができるので、パネル部材５の熱膨張や熱収縮が制限されパネル部材５の内部に熱応力が発生してパネル部材５が破損することが防止されると共に、寸切りボルト１４に沿ってパネル部材５及び圧縮コイルばね２６が伸縮するため、熱膨張や熱収縮によるパネル部材５の反りを防止することができる。また、圧縮コイルばね２６は、パネル部材５の両側部に形成された立ち上がり部５ａの下部に挿通されている寸切りボルト１４の後部に装着されていることから、両側部の後部においてパネル部材５の伸縮を均等に吸収することができ、パネル部材５の破損を確実に防止することができる。
【００３４】
たとえばパネル部材に加えられる外部からの衝撃を緩和するためにパネル部材のクッション材としてパネル部材の周囲にゴムや発泡樹脂などを設けることがあるが、ゴムや発泡樹脂は撓み代が小さく熱膨張や熱収縮するパネル部材を一定の力で付勢することが難しい。圧縮コイルばね２６は撓み代が大きく熱膨張や熱収縮するパネル部材５を略一定の力で付勢することができる。また本実施例のように圧縮コイルばね２６の内部に寸切りボルト１４などを挿通させて容易に装着することができる。これによってパネル部材５をポリカーボネート樹脂製とすることができるものである。
【００３５】
なお、本実施例においては圧縮コイルばね２６は寸切りボルト１４の後方に装着されるが、これに限定されるものではなく寸切りボルト１４の前方に装着されるものでも良い。たとえば圧縮コイルばね２６を先端ブラケット部材１７とフラットバー１８との間に装着してパネル部材５が圧縮コイルばね２６に付勢された状態で自由に熱膨張や熱収縮するものでもよい。
【００３６】
このように、壁面７にパネルであるパネル部材を取り付けるためのパネル取り付け用部材である壁側取り付け用部材２とパネル側取り付け用部材３と、このパネル側取り付け用部材３に取り付けられるパネル部材５と、このパネル部材５の前端部に取り付けられる先端見切り部材４とを備える建物用庇１において、パネル部材５は合成樹脂材料からなり、弾性変形可能な弾性部材である圧縮コイルばね２６を介してパネル側取り付け用部材３に取り付けられるので、パネル部材５は、耐衝撃性および断熱性に優れ、パネル部材５の下でも光が差し込む軽い建物用庇１とすることができ、パネル部材５が熱膨張した場合には圧縮コイルばね２６が弾性変形してパネル部材５の破損を防止する。
【符号の説明】
【００３７】
１    建物用庇
２    壁側取り付け用部材
２ａ    鉛直部分
２ｂ    突出部分
２ｃ，３ｂ    係合部
３    パネル側取り付け用部材
３ａ，３ｃ，３ｄ，３ｅ，５ｄ，６ａ，６ｃ，１７ａ，１７ｂ    板部
４    先端見切り部材
４ａ，４ｂ    爪片
４ｃ，６ｄ    タッピング孔
５    パネル部材
５ａ    立ち上がり部
５ｂ    斜面
５ｃ    凹部
５ｅ    仕切り部
５ｆ，５ｇ，６ｆ    端面
６    ジョイント部材
６ｂ    突起部
６ｅ    上部板部
７    壁面
８    庇板
９    端部カバー部材
１１    アンカーボルト            
１２    段部
１４    寸切ボルト    
１５，２３，２４    ナット
１６    受け部材
１７    先端ブラケット部材
１７ｃ，１７ｄ    溝部
１７ｅ    上面
１８    フラットバー
２０    ステー
２１    ステー取り付け金具
２１ａ    取り付け座
２１ｂ    下面
２１ｃ    上面
２２    側板
２５    端部材
２５ａ    下部端面
２５ｂ    上部端面
２６    圧縮コイルばね
２７ａ，２７ｂ    小口蓋
２８    カバー部材
【図１】
2012102600.tif 000003
【図２】
2012102600.tif 000004
【図３】
2012102600.tif 000005
【図４】
2012102600.tif 000006
【図５】
2012102600.tif 000007
【図６】
2012102600.tif 000008
【図７】
2012102600.tif 000009
【図８】
2012102600.tif 000010
【図９】
2012102600.tif 000011
【図１０】
2012102600.tif 000012
【図１１】
2012102600.tif 000013
【図１２】
2012102600.tif 000014
【図１３】
2012102600.tif 000015
【図１４】
2012102600.tif 000016